(57)【特許請求の範囲】
【請求項１】
少なくとも一対の第１側板と、第１背板と、第１天板とにより第１収納空間が形成される本体ボックスと、
少なくとも前記本体ボックスの一方の前記第１側板と、一方の前記第１側板に対向して設けられる第２側板と、第２背板と、第２天板とにより第２収納空間が形成され、前記本体ボックスの外側面に固定される付属ボックスとを備え、
前記付属ボックスの高さ寸法は前記本体ボックスの高さ寸法と略同一であり、前記付属ボックスの奥行寸法は前記本体ボックスの奥行寸法と略同一であり、前記付属ボックスの横幅寸法は前記本体ボックスの横幅寸法よりも小さく、
前記本体ボックスは、前記一対の第１側板の間に架け渡される第１棚板を有し、
前記付属ボックスは、一方の前記第１側板と前記第２側板との間に架け渡される第２棚板を有し、
前記付属ボックスの前記第２棚板の厚みは、前記本体ボックスの前記第１棚板の厚みよりも大きい、シューズボックス。
【請求項２】
少なくとも一対の第１側板と、第１背板と、第１天板とにより第１収納空間が形成される本体ボックスと、
少なくとも前記本体ボックスの一方の前記第１側板と、一方の前記第１側板に対向して設けられる第２側板と、第２背板と、第２天板とにより第２収納空間が形成され、前記本体ボックスの外側面に固定される付属ボックスとを備え、
前記付属ボックスの高さ寸法は前記本体ボックスの高さ寸法と略同一であり、前記付属ボックスの奥行寸法は前記本体ボックスの奥行寸法と略同一であり、前記付属ボックスの横幅寸法は前記本体ボックスの横幅寸法よりも小さく、
前記付属ボックスの前記第２天板の厚みは、前記本体ボックスの前記第１天板の厚みよりも大きい、シューズボックス。
【請求項３】
前記本体ボックスの横幅寸法に対する前記付属ボックスの横幅寸法の比率は、１／７〜１／４である、請求項１または２に記載のシューズボックス。
【請求項４】
前記付属ボックスの前記第２棚板は、前記第２側板および前記第２背板と対向する面に複数のダボを有し、
前記第２側板および第２背板は、前記複数のダボを受け入れる複数のダボ溝を有している、請求項１に記載のシューズボックス。
【請求項５】
請求項１〜４のいずれかに記載のシューズボックスを設けた玄関を備え、
前記玄関は、前記シューズボックスを受け入れるように対向する第１壁面および第２壁面を有し、
前記本体ボックスは、前記第１壁面に当接して設けられ、
前記付属ボックスは、前記本体ボックスと前記第２壁面との間の隙間を埋めるように配置される、住宅。
【請求項６】
本体ボックスと前記本体ボックスの外側面に固定される付属ボックスとを備えたシューズボックスの組立方法であって、
あらかじめ設置現場以外の場所で所定寸法に形成した、前記本体ボックスを構成する少なくとも一対の第１側板と、第１背板と、第１天板とを用意し、それらを設置現場に搬入する工程と、
前記付属ボックスを構成する少なくとも第２側板と、第２背板と、第２天板とを用意し、前記本体ボックスの横幅寸法と前記シューズボックスの設置スペースの横幅寸法との横幅寸法差を計測し、前記横幅寸法差を前記付属ボックスで埋めるように前記第２側板、前記第２背板および前記第２天板を加工し、前記第２側板を一方の前記第１側板に対向して設け、前記付属ボックスを前記設置スペースに配置させる工程とを含み、
前記本体ボックスは、前記一対の第１側板の間に架け渡される第１棚板を有し、
前記付属ボックスは、一方の前記第１側板と前記第２側板との間に架け渡される第２棚板を有し、
前記付属ボックスの前記第２棚板の厚みは、前記本体ボックスの前記第１棚板の厚みよりも大きい、シューズボックスの組立方法。
【請求項７】
本体ボックスと前記本体ボックスの外側面に固定される付属ボックスとを備えたシューズボックスの組立方法であって、
あらかじめ設置現場以外の場所で所定寸法に形成した、前記本体ボックスを構成する少なくとも一対の第１側板と、第１背板と、第１天板とを用意し、それらを設置現場に搬入する工程と、
前記付属ボックスを構成する少なくとも第２側板と、第２背板と、第２天板とを用意し、前記本体ボックスの横幅寸法と前記シューズボックスの設置スペースの横幅寸法との横幅寸法差を計測し、前記横幅寸法差を前記付属ボックスで埋めるように前記第２側板、前記第２背板および前記第２天板を加工し、前記第２側板を一方の前記第１側板に対向して設け、前記付属ボックスを前記設置スペースに配置させる工程とを含み、
前記付属ボックスの前記第２天板の厚みは、前記本体ボックスの前記第１天板の厚みよりも大きい、シューズボックスの組立方法。
【発明の詳細な説明】
【技術分野】
【０００１】
この発明は、シューズボックス、それを備えた住宅およびシューズボックスの組立方法に関する。
【背景技術】
【０００２】
一般的に、シューズボックスは、玄関の設置スペースに配置される。シューズボックスの設置スペースは、住宅の壁厚などによって大きさが異なるため、既存の大きさのシューズボックスでは、すべての住宅に対応させることができない。そのため、設置スペースに応じてシューズボックスのサイズを選択したり、設置現場で部材をカットしてサイズ調整をした上で組み立てる方法や、前もってサイズオーダーした特注家具を設置スペースに配置させる方法がとられている。
【０００３】
一方、家具と壁面との隙間を板材で覆う収納家具として、実開平６−３４５３７号公報（特許文献１）がある。特許文献１には、家具と壁面との隙間を埋めるために、家具の表面に隙間調整材が取り付けられることが開示されている。
【先行技術文献】
【特許文献】
【０００４】
【特許文献１】実開平６−３４５３７号公報
【発明の概要】
【発明が解決しようとする課題】
【０００５】
玄関の設置スペースに合わせてシューズボックスのサイズを選択すると、様々な大きさの部材を搬入する必要があるため、部品点数およびバリエーション点数が多くなる。また、設置現場で部材をカットして家具を組み立てるとなると、現場でのカット精度に不安が残る。
【０００６】
一方、特許文献１の間仕切家具は、単に間仕切家具と壁部との隙間を見えないようにするために隙間調整材で隙間を覆っているだけであり、収納スペースを設置スペースに合わせて可変させることはできない。
【０００７】
本発明は、上記のような課題を解決するためになされたものであって、その目的は設置現場に応じて収納スペースの大きさを調整することが可能なシューズボックス、それを備えた住宅およびシューズボックスの組立方法を提供することを目的とする。
【課題を解決するための手段】
【０００８】
本発明のある局面によるシューズボックスは、少なくとも一対の第１側板と、第１背板と、第１天板とにより第１収納空間が形成される本体ボックスと、少なくとも本体ボックスの一方の第１側板と、一方の第１側板に対向して設けられる第２側板と、第２背板と、第２天板とにより第２収納空間が形成され、本体ボックスの外側面に固定される付属ボックスとを備え、付属ボックスの高さ寸法は本体ボックスの高さ寸法と略同一であり、付属ボックスの奥行寸法は本体ボックスの奥行寸法と略同一であり、付属ボックスの横幅寸法は本体ボックスの横幅寸法よりも小さい。
【０００９】
好ましくは、本体ボックスの横幅寸法に対する付属ボックスの横幅寸法の比率は、１／７〜１／４である。
【００１０】
好ましくは、本体ボックスは、一対の第１側板の間に架け渡される第１棚板を有し、付属ボックスは、一方の第１側板と第２側板との間に架け渡される第２棚板を有し、付属ボックスの第２棚板の厚みは、本体ボックスの第１棚板の厚みよりも大きい。
【００１１】
好ましくは、付属ボックスの第２天板の厚みは、本体ボックスの第１天板の厚みよりも大きい。
【００１２】
好ましくは、付属ボックスの第２棚板は、第２側板および第２背板と対向する面に複数のダボを有し、第２側板および第２背板は、複数のダボを受け入れる複数のダボ溝を有している。
【００１３】
本発明のある局面による住宅は、シューズボックスを設けた玄関を備え、玄関は、シューズボックスを受け入れるように対向する第１壁面および第２壁面を有し、本体ボックスは、第１壁面に当接して設けられ、付属ボックスは、本体ボックスと第２壁面との間の隙間を埋めるように配置される。
【００１４】
本発明のある局面によるシューズボックスの組立方法は、本体ボックスと本体ボックスの外側面に固定される付属ボックスとを備えたシューズボックスの組立方法であって、あらかじめ設置現場以外の場所で所定寸法に形成した、本体ボックスを構成する少なくとも一対の第１側板と、第１背板と、第１天板とを用意し、設置現場に搬入する工程と、付属ボックスを構成する少なくとも第２側板と、第２背板と、第２天板とを用意し、本体ボックスの横幅寸法とシューズボックスの設置スペースの横幅寸法との横幅寸法差を計測し、横幅寸法差を付属ボックスで埋めるように第２側板、第２背板および第２天板を加工し、第２側板を一方の第１側板に対向して設け、付属ボックスを設置スペースに配置させる工程とを含む。
【発明の効果】
【００１５】
本発明によれば、設置現場に応じて収納スペースを調整することが可能なシューズボックス、住宅およびシューズボックスの組立方法を提供することができる。
【図面の簡単な説明】
【００１６】
【図１】本発明の実施の形態に係る住宅の構成例を示す間取り図である。
【図２】本発明の実施の形態に係るシューズボックスを示す斜視図である。
【図３】図２のＩＩＩ−ＩＩＩ線に沿うシューズボックスの断面図である。
【図４】本発明の実施の形態に係るシューズボックスの扉を取り外して示す斜視図である。
【図５】図４の一部分を拡大して示す正面図である。
【図６】本発明の実施の形態に係るシューズボックスの組立方法の一例を示す斜視図である。
【発明を実施するための形態】
【００１７】
本発明の実施の形態について図面を参照しながら詳細に説明する。なお、図中同一または相当部分には同一符号を付してその説明は繰り返さない。
【００１８】
図１を参照して、本実施の形態に係る住宅１について説明する。本実施の形態に係る住宅１は、一戸建て住宅であってもよいし、マンションやアパートなどの集合住宅であってもよい。
【００１９】
住宅１には、たとえば、複数の壁面２１〜２３に囲まれる玄関２が設けられる。玄関２は、第１壁面２１と、第１壁面２１に対向する第２壁面２２と、第３壁面２３とによって囲まれている。なお、住宅１が集合住宅の場合、第３壁面２３は界壁であってもよい。玄関２の第１壁面２１および第２壁面２２の間には、シューズボックス４を受け入れる設置スペース３が設けられる。
【００２０】
図２〜５をさらに参照して、シューズボックス４について説明する。以下の説明において、図２の矢印Ａ１で示すシューズボックス４の横幅方向を左右方向とし、右側を一方、左側を他方とする。図２の矢印Ａ２で示すシューズボックス４の高さ方向を上下方向とする。図２の矢印Ａ３で示すシューズボックス４の奥行方向を前後方向とする。
【００２１】
シューズボックス４は、本体ボックス４０と本体ボックス４０の外側面に固定される付属ボックス５０とを備える。シューズボックス４は、たとえば、横幅寸法Ｌ１が６００ｍｍ〜１０００ｍｍ、高さ寸法Ｌ２が１８００ｍｍ〜２０００ｍｍ、奥行寸法Ｌ３が４００ｍｍ〜５００ｍｍである。
【００２２】
まず、本体ボックス４０について説明する。本体ボックス４０は、第１左側板４１と、第１右側板４２と、第１背板４３と、第１天板４４と、第１底板４９とにより第１収納空間４５が形成される。本体ボックス４０は、たとえば、横幅寸法Ｌ１ａが５００ｍｍ〜８５０ｍｍである。なお、本体ボックス４０の奥行寸法および高さ寸法は、シューズボックス４の高さ寸法Ｌ２および奥行寸法Ｌ３と略同一である。
【００２３】
本体ボックス４０は、第１左側板４１と第１右側板４２との間に架け渡される複数の第１棚板４６を有する。第１棚板４６は、たとえば、上下方向に８段設けられ、第１収納空間４５を９つに区切る部材である。第１棚板４６は、本体ボックス４０の強度を確保するための固定棚を除き、収納する靴の大きさに応じて、所望の高さ位置、所定の段数に適宜変更することが可能である。なお、本体ボックス４０の前面には、第１収納空間４５を閉鎖可能にするための一対の第１扉４７が、たとえば、観音開き式に設けられている。
【００２４】
次に、付属ボックス５０について説明する。付属ボックス５０は、少なくとも本体ボックス４０の第１右側板４２と、第１右側板４２に対向して設けられる第２側板５２と、第２背板５３と、第２天板５４とにより第２収納空間５５が形成される。付属ボックス５０の横幅寸法Ｌ１ｂは、一般的な成人男性の握りこぶしを縦にした状態で入る寸法、たとえば、９０ｍｍ〜１８０ｍｍであることが望ましい。これにより、本体ボックス４０の横幅寸法Ｌ１ａに対する付属ボックス５０の横幅寸法Ｌ１ｂの比率は、１／７〜１／４となるように設けられることが望ましい。また、付属ボックス５０の奥行寸法および高さ寸法は、シューズボックス４の高さ寸法Ｌ２および奥行寸法Ｌ３と略同一である。
【００２５】
付属ボックス５０は、たとえば、第１右側板４２と第２側板５２との間に架け渡される第２棚板５６，５７を有する。第２棚板５６，５７は、上下方向に２段設けられ、第２収納空間５５を３つに区切る。具体的には、第２収納空間５５は、第２棚板５６，５７により第２上部収納空間５５０、第２中部収納空間５５１，第２下部収納空間５５２に区切られる。付属ボックス５０は、片開き式であり、第２側板５２には、第２上，下部収納空間５５０，５５２を閉鎖可能にするために、第２扉５８，５９がそれぞれ取り付けられていてもよい。
【００２６】
第２上部収納空間５５０は、第２上部棚板５６の上部に位置し、外出時に利用するレインコートやバッグ、郵便ポストに投入された新聞や郵便物の仮置きスペースとして利用することができる。第２中部収納空間５５１は、第２上部棚板５６と第２下部棚板５７との間に位置し、置物や小物などを配置させるニッチとして利用してもよい。また、第２中部収納空間５５１の前面を板状部材で覆い、壁出しの電源スイッチを設けてもよい。第２下部収納空間５５２は、第２下部棚板５７の下部に位置し、雨傘などの収納スペースとして利用することができる。第２下部収納空間５５２は、底板が設けられておらず、玄関土間が露出している。これにより、濡れたままの傘を収納しても、雨水が第２下部収納空間５５２内に溜まらない。なお、第２下部収納空間５５２には、底板を設けてもよい。
【００２７】
図５を特に参照して、付属ボックス５０の第２天板５４の厚み寸法Ｔ１ｂは、本体ボックス４０の第１天板４４の厚み寸法Ｔ１ａよりも大きい。たとえば、付属ボックス５０の第２天板５４の厚み寸法Ｔ１ｂは、２０〜３０ｍｍであり、本体ボックス４０の第１天板４４の厚み寸法Ｔ１ａは、１０〜２０ｍｍであることが好ましい。これにより、図５に示すように、第１天板４４および第２天板５４の上端縁の高さ位置を合わせて、第２天板５４を第１右側板４２に固定する場合、厚み寸法Ｔ１ｂと厚み寸法Ｔ１ａとの差分だけ第１天板４４と第２天板５４とが上下方向において重ならないため、本体ボックス４０側から第２天板５４を第１右側板４２に容易に固定することができる。
【００２８】
付属ボックス５０の第２棚板５６，５７の厚み寸法Ｔ２ｂは、本体ボックス４０の第１棚板４６の厚み寸法Ｔ２ａよりも大きい。たとえば、付属ボックス５０の第２棚板５６，５７の厚み寸法Ｔ２ｂは、２０〜３０ｍｍであり、本体ボックス４０の第１棚板４６の厚み寸法Ｔ２ａは、１０〜２０ｍｍであることが好ましい。これにより、第２棚板５６，５７を第１右側板４２に固定する場合、第２棚板５６，５７と第１棚板４６の高さ位置が一致する場合であっても、第２棚板５６，５７が厚み寸法Ｔ２ｂと厚み寸法Ｔ２ａとの差分だけ上下方向において重ならないため、本体ボックス４０側から第２棚板５６，５７を第１右側板４２に容易に固定することができる。
【００２９】
図５，６を参照して、付属ボックス５０の第２天板５４および第２棚板５６，５７は、第２側板５２と対向する面、すなわち右側端部に複数のダボ５４１，５６１，５７１をそれぞれ有する。これに対応して、第２側板５２は、第２天板５４および第２棚板５６，５７に対向する面、すなわち左側端部に、複数のダボ５４１，５６１，５７１を受け入れる複数のダボ溝５２１，５２２，５２３を有している。
【００３０】
さらに、付属ボックス５０の第２天板５４および第２棚板５６，５７は、第２背板５３と対向する面、すなわち後側端部に複数のダボ５４２，５６２，５７２をそれぞれ有する。これに対応して、第２背板５３は、第２天板５４および第２棚板５６，５７に対向する面、すなわち後側端部に、複数のダボ５４２，５６２，５７２を受け入れる複数のダボ溝５３１，５３２，５３３を有している。これらのダボを対向するダボ溝に受け入れさせることにより、付属ボックス５０は本体ボックス４０に取り付けられる。
【００３１】
図６を参照して、本実施の形態に係るシューズボックス４の組立方法を説明する。図６では、組立方法の理解を容易にするために、第２壁面２２は外枠のみ実線で示している。
【００３２】
まず、本体ボックス４０を設置現場である住宅１に搬入する。本体ボックス４０は、組み立てられたものを住宅１に搬入してもよいし、あらかじめ所定寸法に形成された組み立てられる以前の部材、すなわち、第１左，右側板４１，４２、第１背板４３、第１天板４４、第１底板４９および複数の第１棚板４６をそれぞれ住宅１に搬入して、住宅１で組み立ててもよい。組み立てられた本体ボックス４０を設置スペース３の第１壁面２１に沿って配置させる。なお、本体ボックス４０の第１扉４７（図２）は、付属ボックス５０を本体ボックス４０に取り付ける前に取り付けてもよいし、付属ボックス５０を取り付けた後に取り付けてもよい。
【００３３】
次に、付属ボックス５０を構成する第２側板５２と、第２背板１５３と、第２天板１５４と第２棚板１５６，１５７とを住宅１に搬入する。住宅１に搬入された状態の第２背板１５３、第２天板１５４および第２棚板１５６，１５７の横幅寸法Ｂは、１８０ｍｍ以上が好ましく、より好ましくは１９０ｍｍ以上である。これらの横幅寸法Ｂは、組み立てられた付属ボックス５０の横幅寸法Ｌ１ｂよりも大きく設けられる。これにより、設置スペース３に合わせて付属ボックス５０の横幅を調整することができる。
【００３４】
本体ボックス４０の横幅寸法Ｌ１ａと、シューズボックス４の設置スペース３の横幅寸法Ｌ１とを計測する。シューズボックス４は、設置スペース３に隙間なく配置されるため、シューズボックス４の横幅寸法と、設置スペース３の横幅寸法は、Ｌ１で一致する。付属ボックス５０は、図６の破線で示すように、本体ボックス４０と第２壁面２２との隙間を埋めるように配置されるため、付属ボックス５０の横幅寸法Ｌ１ｂは、設置スペースの横幅寸法Ｌ１から本体ボックス４０の横幅寸法Ｌ１ａを差し引いた寸法となる。ここで、付属ボックス５０の横幅寸法Ｌ１ｂは、第２背板５３，第２天板５４，第２棚板５６，５７の横幅寸法Ｂ１に第２側板５２の幅寸法Ｃを足した寸法となる。よって、第２背板５３，第２天板５４，第２棚板５６，５７の横幅寸法Ｂ１は、付属ボックス５０の横幅寸法Ｌ１ｂから第２側板５２の幅寸法Ｃを差し引いた寸法となる。
【００３５】
次に、設置スペース３と本体ボックス４０の横幅寸法の差を埋めるように、付属ボックス５０を構成する第２背板１５３，第２天板１５４および第２棚板１５６，１５７を加工する。具体的には、横幅寸法Ｂの第２背板１５３，第２天板１５４および第２棚板１５６，１５７を図６で示す一点鎖線部分で切断して、横幅寸法Ｂ１の第２背板５３，第２天板５４および第２棚板５６，５７に加工する。この場合、第２天板５４は、ダボ５４１，５４２が設けられている部分、第２棚板５６，５７は、ダボ５６１，５６２，５７１，５７２が設けられている部分、第２背板５３は、ダボ溝５３１，５３２，５３３が設けられている部分が含まれるように切断する。
【００３６】
次いで、付属ボックス５０を組み立てる。具体的には、第２天板５４および第２棚板５６，５７を第２側板５２および第２背板５３に取り付ける。すなわち、第２天板５４および第２棚板５６，５７のダボ５４１，５６１，５７１を第２側板５２のダボ溝５２１，５２２，５２３にそれぞれ受け入れさせる。さらに、第２天板５４および第２棚板５６，５７のダボ５４２，５６２，５７２を第２背板５３のダボ溝５３１，５３２，５３３にそれぞれ受け入れさせる。
【００３７】
最後に、組み立てた付属ボックス５０を本体ボックス４０の外側面に固定させる。具体的には、組み立てた第２側板５２、第２背板５３、第２天板５４および第２棚板５６，５７を、本体ボックス４０の第１右側板４２に対向して設け、第１右側板４２に取り付ける。第２天板５４を第１右側板４２に固定するには、第１収納空間４５側からビス４８で固定する。また、第２棚板５６，５７を第１右側板４２に固定するには、第１収納空間４５側からビス４８で固定する。上述のように、第２天板５４および第２棚板５６，５７は、第１天板４４および第１棚板４６より厚く形成されているため、付属ボックス５０を本体ボックス４０側から容易に固定することができ、誤ってビス４８を斜めに打ち込んだ場合でも、精度よく組み立てることができる。
【００３８】
このように構成されることにより、設置スペース３に合わせて付属ボックス５０の寸法を設置現場で調整し組み立てることができる。さらに、本体ボックス４０は、所定の大きさのものを用いるため、設置現場で計測すべき寸法は、付属ボックス５０の横幅寸法のみで足りる。これにより、設置現場で調整するべき箇所を最小限に抑えることができ、誤差を最小限に抑えることができる。また、設置現場で寸法調整が必要な第２背板１５３，第２天板１５４および第２棚板１５６，１５７であっても、所定寸法で形成することができるため、部品点数を減らすことができる。また、従来、デッドスペースとなっていた隙間空間を収納空間として利用することができる。特に、集合住宅のように、専有面積が狭い住宅では、デッドスペースの有効活用は魅力的である。
【００３９】
なお、第１壁面２１および第２壁面２２は、天井にまで延びる壁面だけではなく、たとえば、玄関２との境目に設けられる単なる段差や玄関と玄関に続く廊下との境目であってもよい。
【００４０】
また、上記実施の形態の本体ボックス４０には、第１底板４９が設けられていなくてもよい。その場合、本体ボックス４０の第１収納空間４５は、第１左側板４１と、第１右側板４２と、第１背板４３と、第１天板４４とにより形成される。
【００４１】
また、上記実施の形態において、付属ボックス５０には、底板が設けられておらず、玄関土間が露出している形状としたが、底板が設けられていてもよい。
【００４２】
また、上記実施の形態において、付属ボックス５０は、第２棚板５６，５７が複数設けられるとして説明したが、第２棚板は１段であってもよいし、設けられていなくてもよい。第２棚板が設けられていない場合は、たとえば、玄関２の掃除などで用いられるほうきやモップなどを収納する空間として用いられてもよい。
【００４３】
上記実施の形態において、第２天板および第２棚板にはダボが設けられ、第２天板および第２側板５２にはダボ溝が設けられるとして説明したが、たとえば、螺旋ねじなどのような他の嵌合方法であってもよい。
【００４４】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００４５】
１  住宅、２  玄関、３  設置スペース、４  シューズボックス、２１  第１壁面、２２  第２壁面、２３  第３壁面、４０  本体ボックス、４１  第１左側板、４２  第１右側板、４３  第１背板、４４  第１天板、４５  第１収納空間、４６  第１棚板、４７  第１扉、４８  ビス、４９  第１底板、５０  付属ボックス、５２  第２側板、５３，１５３  第２背板、５４，１５４  第２天板、５５  第２収納空間、５６  第２上部棚板、５７  第２下部棚板、５８，５９  第２扉、５２１，５２２，５２３，５３１，５３２，５３３  ダボ溝、５４１，５４２，５６１，５６２，５７１，５７２  ダボ、５５０  第２上部収納空間、５５１  第２中部収納空間、５５２  第２下部収納空間。
【図１】
0006770345.tif 000002
【図２】
0006770345.tif 000003
【図３】
0006770345.tif 000004
【図４】
0006770345.tif 000005
【図５】
0006770345.tif 000006
【図６】
0006770345.tif 000007